(57)【特許請求の範囲】
【請求項１】
建造物を解体する建造物の解体方法であって、
垂直加重に耐えられる強度が残るように中心部に切残し部を残存させて柱の下層近傍の外周部と上層近傍の外周部を円形切削ブレードで切削する柱切削工程と、
該柱切削工程の前又は後に、該柱が支持する上層と下層との間にジャッキを挿入し、ジャッキアップしてジャッキで支柱を仮設する支柱仮設工程と、
該柱に捩じり力を付与し中心部に残存する切残し部を破壊して該柱を除去する柱除去工程と、
前記ジャッキを縮小して上層を下層に接触させて階層を減じるだるま落工程と、
上層と下層とが接触して形成された隙間から該ジャッキを取り出すジャッキ取り出し工程と、
を具備したことを特徴とする建造物の解体方法。
【発明の詳細な説明】
【技術分野】
【０００１】
本発明は、ビル等の建造物を下層からだるま落とし的に解体する建造物の解体方法に関する。
【背景技術】
【０００２】
従来、建造物の解体作業は、低層建造物から高層建造物に至るまで悉く、屋上等の最上部から開始され、地下基礎部等の最下部にて終了されるのが一般的である。解体されたコンクリート塊、木塊、鉄材、更には柱や床を構成した木材等は、ある程度の量をまとめてクレーンにより、或いはベルトコンベア等により地上まで投下される。
【０００３】
しかし、建造物の上層から解体を開始する従来の方法では、大掛かりな解体装置を上層部に据え付ける必要があり、この据え付け作業は極めて困難である。更に、大掛かりな解体装置を上層部から下層部まで順次移動させる必要があり、この移動の為の装置を別途必要とする上、移動作業が工数や工期を増加させる要因ともなっている。
【０００４】
また、上層部の解体の際、解体に伴って発生するコンクリート、木、鉄材等の微細な屑や粉塵が、解体対象の建造物周辺に広く飛散し、周辺の住民、建造物、立ち木、緑地等に悪影響を及ぼすのみならず、騒音もかなり大きいという問題がある。
【０００５】
これらの問題を解決するため、建造物を下層階から解体する方法が特開平２−２４４５５号及び特公平７−３０６３７号等により提案されている。
【特許文献１】特開平２−２４４５５号公報
【特許文献２】特公平７−３０６３７号公報
【発明の開示】
【発明が解決しようとする課題】
【０００６】
特許文献１に開示された建造物の解体方法では、解体するビルをトラスで支持して倒れるのを防止している。このため、この解体方法では、トラス自体の強度と、トラスをビルに連結する連結部分に極めて高い強度が要求される。その結果、トラスを構築してこれをビルに固定する費用が極めて高くなるという欠点がる。
【０００７】
特許文献２に開示されたビルの解体方法では、下層の解体においてビルが崩壊しないように部分的にジャッキで支持して下層を破壊する解体方法であるため、必ずしも安全な方法とは言えない。更に、鉄骨又は鉄筋の入った柱の解体方法については明確な開示がなく、今後の実施において問題がある。
【０００８】
本発明はこのような点に鑑みてなされたものであり、その目的とするところは、安全且つ確実に建造物を下層階からだるま落としのごとく解体可能な建造物の解体方法を提供することである。
【課題を解決するための手段】
【０００９】
本発明によると、建造物を解体する建造物の解体方法であって、垂直加重に耐えられる強度が残るように中心部に切残し部を残存させて柱の下層近傍の外周部と上層近傍の外周部を円形切削ブレードで切削する柱切削工程と、該柱切削工程の前又は後に、該柱が支持する上層と下層との間にジャッキを挿入し、ジャッキアップしてジャッキで支柱を仮設する支柱仮設工程と、該柱に捩じり力を付与し中心部に残存する切残し部を破壊して該柱を除去する柱除去工程と、前記ジャッキを縮小して上層を下層に接触させて階層を減じるだるま落工程と、上層と下層とが接触して形成された隙間から該ジャッキを取り出すジャッキ取り出し工程と、を具備したことを特徴とする建造物の解体方法が提供される。
【発明の効果】
【００１０】
本発明によると、垂直加重に耐えられる強度が中心部に残るように柱の下層近傍の外周部と上層近傍の外周部を円形切削ブレードで切削し、切削の前又は後に、柱が支持する上層と下層との間にジャッキを挿入しジャッキアップしてジャッキで支柱を仮設するとともに、柱にベルト等をかけ捩じり力を柱に付与して中心部に残存する切残し部を破壊して柱を除去するようにしたので、柱を除去する前にジャッキで支柱が仮設されているため、上層を十分な強度で支持することができ、安全性高く建造物を下層階から解体することができる。
【発明を実施するための最良の形態】
【００１１】
以下、図面を参照して本発明の実施形態を詳細に説明する。図１を参照すると、符号２は建造物としての５階建てのビルを示しており、地面５上に複数本の柱４が立設され、床６及び屋根９がこれらの柱４により支持されている。柱４は、鉄骨又は鉄筋コンクリートから構成される。隣接する柱４の間には壁、窓等の遮蔽体８が設けられている。
【００１２】
本実施形態の建造物の解体方法は、図２に示すようにビル２の一階部分からビル２を解体する。解体車両１０には垂直方向に伸長するコラム１２が立設されており、このコラム
１２に沿って切削装置１４が移動可能に搭載されている。切削装置１４は回転駆動される円形切削ブレード１６を備えている。
【００１３】
本発明の解体方法では、解体車両１０が切断すべき柱４の周りを回れるように、解体すべき柱４の周囲の遮蔽体８を除去する。ビル２は複数の柱４によりその剛性が保たれているため、遮蔽体８の除去はビルの安定性に影響することはない。
【００１４】
次いで、図２に示すように切削ブレード１６を柱４の上層近傍の外周部に当て柱４を切削する。この切削時には、図３に示すように垂直加重に耐えられる強度が残るように中心部に切残し部１８を残存させて柱４の上層部を切削する。
【００１５】
解体車両１０を順次移動させて、矢印Ａに示すように切削ブレード１６で柱４の周りを順次切削する。この時、ハッチング（平行斜線）１８で示した切残し部１８を残すようにして柱４の周囲を切削する。
【００１６】
次いで、切削装置１４を１８０度反転し、円形切削ブレード１６を下方に位置づけて柱４の下層近傍の外周部を同様に切削する。これにより、図４に示すように柱４には上層部近傍の外周部に切削溝１７が形成され、下層部近傍の外周部に切削溝１９が形成される。なお、柱４の下層部近傍を先に切削するようにしても良い。
【００１７】
このような柱の切削工程の前又は後に、図４に示すように柱４が支持する上層階の床６と下層階の地面５との間にジャッキ３０を挿入し、ジャッキアップしてジャッキ３０で支柱を仮設する。
【００１８】
図４において、解体車両２０は捩じり力付与手段２２を具備している。捩じり力付与手段２２は、図示しないモーターにより回転駆動されるシャフト２４と、シャフト２４の先端に固定されたストッパー２６と、柱４とシャフト２４に渡り掛け回され、連結部２７で両端が連結された無端状ベルト２８を含んでいる。
【００１９】
破壊すべき柱４の近辺にジャッキ３０から構成される支柱が仮設された状態で、図５に示すようにシャフト２４を回転すると、無端状ベルト２８が矢印Ｂに示すように回転されて、柱４に捩じり力を付与する。これにより、柱４の中心部に残存する切残し部１８を破壊して、柱４を除去することができる。
【００２０】
ビル２を構成する全ての柱４について上記と同様な操作を行って、一階部分の柱４を全て除去する。次いで、全てのジャッキ３０を縮小して２階部分の床６を地面５に接触させてビルの階数を４階に減じる。
【００２１】
この工程は下層階である一階部分の仮設支柱（ジャッキ）３０を取り除いて階数を減じるので、だるま落とし工程と称される。次いで、地面に落とされた２階と地面との隙間からいっぱいに縮小されたジャッキ３０を取り出す。尚、ジャッキ３０を大、中、小と用意し、順次取り外して最後に上層と下層の隙間から小ジャッキ３０を取り出すことが好ましい。
【００２２】
上述した各工程を２階部分、３階部分、４階部分、５階部分と順次繰り返すことにより、ビル２の全体を解体することができる。
【図面の簡単な説明】
【００２３】
【図１】解体すべきビルの全体構成を示す図である。
【図２】柱切削工程を示す模式図である。
【図３】柱切削工程を示す説明図である。
【図４】支柱仮設工程及び柱除去工程を示す模式図である。
【図５】柱除去工程を示す説明図である。
【符号の説明】
【００２４】
２    ビル
４    柱
５    地面
６    床
８    遮蔽体
９    屋根
１０、２０    解体車両
１４    切削装置
１６    切削ブレード
１８    切残し部
２２    捩じり力付与手段
２８    無端状ベルト
３０    ジャッキ
【図１】
0005117291.tif 000002
【図２】
0005117291.tif 000003
【図３】
0005117291.tif 000004
【図４】
0005117291.tif 000005
【図５】
0005117291.tif 000006